(57)【特許請求の範囲】
【請求項１】
被遮蔽部の両側部に相対して固定され互いに対向して挿入口を上下方向に形成したガイドレールと、この両側部のガイドレールの挿入口に幅方向の両側端部をそれぞれ挿入して昇降自在に設けられ下降時に前記被遮蔽部を遮蔽するシート体と、このシート体の下端部に設けられ前記被遮蔽部の床面に着床する着床体と、を具備し、
前記着床体は、
前記シート体の下端部に沿って下方に向かって突設され前記被遮蔽部の床面に着床時に偏平状に変形して着床し前記シート体の下端部と前記床面との間を閉塞する中空閉塞体と、
前記シート体の下端部に沿って設けられた棒状錘と、
前記中空閉塞体の両面部に位置して前記棒状錘にそれぞれ回動自在に設けられ前記被遮蔽部の床面に着床時に前記棒状錘を中心に互いに広がる反対方向に向かって開回動して着床する板状錘と、を有するスクリーン装置であって、
前記中空閉塞体は、両側端部に前記ガイドレールの挿入口内に昇降自在に挿入する挿入部を有し、前記被遮蔽部の床面に向かう下降時には前記シート体の下端部から下方に向かって垂れ下がり前後方向から二つ折りに折り曲げられて下方に向かって突出した偏平状に変形した状態で下降する
ことを特徴とするスクリーン装置。
【請求項２】
シート体は、下端部に棒状錘を挿通する中空筒状部を有し、この中空筒状部は、両面部に間隔をおいて複数の挿入孔をそれぞれ有し、板状錘は、前記各挿入孔から前記中空筒状部内に突出して前記棒状錘を挿通する複数の環状突部をそれぞれ有する、
ことを特徴とする請求項１記載のスクリーン装置。
【請求項３】
中空閉塞体及び中空筒状部は、シート体を折り返してそれぞれ形成し、中空閉塞体は、前記中空筒状部の下端部に沿って下方に向かって突設されている、
ことを特徴とする請求項１または２記載のスクリーン装置。
【請求項４】
板状錘は、この板状錘の下端部に床面に着床する円弧状の着床部を有する、
ことを特徴とする請求項１または２記載のスクリーン装置。
【請求項５】
シート体は、中空筒状部の上方に位置してシート体の両面部に設けられ被遮蔽部の床面に着床時に板状錘を介して互いに反対方向に向かって拡開して着床するシート片をそれぞれ有する、
ことを特徴とする請求項１乃至３のいずれかに記載のスクリーン装置。
【発明の詳細な説明】
【０００１】
【発明の属する技術分野】
本発明はスクリーン装置に係り、たとえば、建物、主として工場等の出入口を遮蔽して工場内への風及び塵埃等の侵入を防止する仕切用スクリーン、建物内の温度を保持する仕切用スクリーン、または、建物内の所定の位置を防火区画として遮蔽し火災時に煙りの拡散と延焼を防止するものに関する。
【０００２】
【従来の技術】
従来、この種のスクリーン装置、たとえば、建築基準法により鋼製防火・防炎シャッターの使用が定められている箇所には非鋼製の防火・防炎用の不燃性シート体を有する耐火スクリーン装置が使用されるようになっている。
【０００３】
この種の耐火スクリーン装置は、建築基準法により鋼製防火・防炎シャッターと同様に耐火性及び気密性が求められ、たとえば、図１０及び図１１に示すように、被遮蔽部ａの両側部に相対して固定された上下方向のガイドレールｂを設け、この両側部のガイドレールｂ間にこの両側部のガイドレールｂ間の被遮蔽部ａを遮蔽する不燃性生地にて形成された不燃性シート体ｃを昇降自在に設け、この不燃性シート体ｃの下端部に前記被遮蔽部ａの床面ｄに着床する着床板ｅを設ける構成が採られている。
【０００４】
そして、前記両側部のガイドレールｂに沿って不燃性シート体ｃを下降することにより、この不燃性シート体ｃの下端部の着床板ｅが被遮蔽部ａの床面ｄに着床され、この不燃性シート体ｃ及びこの不燃性シート体ｃの下端部の着床板ｅにて被遮蔽部ａが気密に遮蔽されるようになっている。
【０００５】
【発明が解決しようとする課題】
前記図１０及び図１１に示す耐火スクリーン装置では、不燃性シート体ｃ及び着床板ｅにて被遮蔽部ａを遮蔽した状態で、この不燃性シート体ｃが火災熱により加熱されて上方に向かって熱収縮すると、この不燃性シート体ｃにて床面ｄに着床した状態の着床板ｅが持ち上げられ、この着床板ｅと床面ｄとの間に隙間ｆが生じて気密性が損なわれることがある。また、不燃性シート体ｃが熱風によって煽られその圧力によって不燃性シート体ｃが押圧されると、この不燃性シート体ｃが押圧方向に向かって撓んで引き上げられ、この不燃性シート体ｃにて床面ｄに着床した状態の着床板ｅが持ち上げられ、この着床板ｅと床面ｄとの間に隙間ｆが生じて気密性が損なわれることがある、という問題がある。
【０００６】
本発明は、このような課題に鑑みてなされたもので、シート体が熱風等の風によって煽られその圧力によって押圧されても、このシート体の下端部と床面との間に隙間が生じることを防止でき、したがって、被遮蔽部の遮蔽時に十分に気密性を保持できるスクリーン装置を提供することを目的とするものである。
【０００７】
【課題を解決するための手段】
請求項１記載のスクリーン装置は、被遮蔽部の両側部に相対して固定され互いに対向して挿入口を上下方向に形成したガイドレールと、この両側部のガイドレールの挿入口に幅方向の両側端部をそれぞれ挿入して昇降自在に設けられ下降時に前記被遮蔽部を遮蔽するシート体と、このシート体の下端部に設けられ前記被遮蔽部の床面に着床する着床体と、を具備し、前記着床体は、前記シート体の下端部に沿って下方に向かって突設され前記被遮蔽部の床面に着床時に偏平状に変形して着床し前記シート体の下端部と前記床面との間を閉塞する中空閉塞体と、前記シート体の下端部に沿って設けられた棒状錘と、前記中空閉塞体の両面部に位置して前記棒状錘にそれぞれ回動自在に設けられ前記被遮蔽部の床面に着床時に前記棒状錘を中心に互いに広がる反対方向に向かって開回動して着床する板状錘と、を有するスクリーン装置であって、前記中空閉塞体は、両側端部に前記ガイドレールの挿入口内に昇降自在に挿入する挿入部を有し、前記被遮蔽部の床面に向かう下降時には前記シート体の下端部から下方に向かって垂れ下がり前後方向から二つ折りに折り曲げられて下方に向かって突出した偏平状に変形した状態で下降するものである。
【０００８】
そして、被遮蔽部を遮蔽する場合はシート体を下降することにより、このシート体は幅方向の両側端部が両側部のガイドレールの挿入口に沿って、着床体の両側端部が両側部のガイドレールの挿入口に沿ってそれぞれ下降され、かつ、この着床体の重量によりシート体がスムーズに下降される。このとき、着床体は中空閉塞体の両面部の板状錘が自重により棒状錘を中心に閉回動して両面から中空閉塞体を挟んで吊り下げられた状態で下降される。
【０００９】
また、シート体の下降で着床体の両面部の板状錘の下端部及び中空閉塞体の下端部が床面に着床され、さらに、このシート体が下降されることにより、この着床体の棒状錘の重量により中空閉塞体及び両面部の板状錘が上方から押圧される。
【００１０】
そして、中空閉塞体が互いに反対方向に向かって突出して床面との接触面を大きくして上下に二つ折りに折り曲げられて偏平状に変形された状態で着床されるとともに、両面部の板状錘が棒状錘を中心に床面に着床したまま床面に沿って互いに広がる反対方向に向かって大きく開回動される。
【００１１】
したがって、偏平状に変形されて着床した中空閉塞体にてシート体の下端部と床面との間が確実に気密に閉塞され、この中空閉塞体の両面部に位置して互いに反対方向に向かって大きく開回動されて着床した板状錘にてシート体の下端部と床面との間が更に確実に気密に閉塞される。
【００１２】
そして、偏平状に変形されて着床した中空閉塞体及び互いに反対方向に向かって大きく開回動されて着床した板状錘は、棒状錘の重量により上方からそれぞれ押圧されることにより、シート体の下端部と床面との間に熱風等が流出入する隙間が生じることを防止される。そうして、このシート体及び着床体にて被遮蔽部の一方側から他方側に向かって熱風等が流出入することが防止される。
【００１３】
つぎに、シート体及び着床体にて被遮蔽部を気密に遮蔽した状態で、シート体が熱風等の風により煽られた圧力により押圧方向に向かって撓もうとするときは、着床体の棒状錘及び両面部の板状錘の重量によりシート体が簡単には引き上げられないが、その熱風等の風の圧力によりシート体が押圧方向に向かって撓んで引き上げられた場合は、そのシート体の引上げ量に応じてシート体の下端部にて棒状錘が引き上げられるとともに、この棒状錘にて中空閉塞体及び両面部の板状錘がそれぞれ引き上げられる。
【００１４】
このとき、中空閉塞体は床面との接触面を大きくして上下に二つ折りに折り曲げられて偏平状に変形された状態で着床されていることにより、この中空閉塞体が偏平状に変形された状態から二つ折りの上部に位置する折重ね部分が引き上げられてシート体の引上げ量に対応し、すなわち、二つ折りの上部に位置する折重ね部分が引き上げられてシート体の引上げ量を吸収し、この中空閉塞体の二つ折りの下部に位置して床面に着床した着床部分が引き上げられることを防止され、この中空閉塞体の二つ折りの下部に位置して床面に着床した着床部分が引き続き床面に着床され続ける。
【００１５】
また、両面部の板状錘は互いに反対方向に向かって大きく開回動されていることにより、この両面部の板状錘が大きく開回動された状態から引き上げられながら棒状錘を中心に中空閉塞体を介して床面に着床したまま床面に沿って互いに接近する方向に向かって閉回動されてシート体の引上げ量に対応し、この両面部の板状錘が引き続き床面に着床され続ける。
【００１６】
したがって、シート体が熱風等の風により煽られた圧力により押圧方向に向かって撓んで引き上げられても、そのシート体の引上げ量に中空閉塞体及び両面部の板状錘がそれぞれ床面に着床したまま対応し、この中空閉塞体及び両面部の板状錘にてシート体の下端部と床面との間に隙間が生じることを防止してこれらの間を気密に閉塞した閉塞状態が確実に保持される。
【００１７】
請求項２記載のスクリーン装置は、請求項１記載のスクリーン装置において、シート体は、下端部に棒状錘を挿通する中空筒状部を有し、この中空筒状部は、両面部に間隔をおいて複数の挿入孔をそれぞれ有し、板状錘は、前記各挿入孔から前記中空筒状部内に突出して前記棒状錘を挿通する複数の環状突部をそれぞれ有する、ものである。
【００１８】
そして、シート体の下端部の中空筒状部の各挿入孔に板状錘の各環状突部をそれぞれ挿入し、この板状錘の各環状突部をそれぞれ中空筒状部内に突出し、この中空筒状部内及び中空筒状部内に突出された各環状突部内に棒状錘を挿通することにより、シート体の下端部の両面部に板状錘がそれぞれ回動自在に簡単に取り付けられる。
【００１９】
請求項３記載のスクリーン装置は、請求項１または２記載のスクリーン装置において、中空閉塞体及び中空筒状部は、シート体を折り返してそれぞれ形成し、中空閉塞体は、前記中空筒状部の下端部に沿って下方に向かって突設されている、ものである。
【００２０】
そして、中空閉塞体及び中空筒状部はシート体を折り返してそれぞれ形成することにより、中空閉塞体及び中空筒状部はシート体の下端部に一体に中空閉塞体及び中空筒状部として簡単に形成され、この中空筒状部内に挿入した棒状錘が十分に保護される。
【００２１】
請求項４記載のスクリーン装置は、請求項１または２記載のスクリーン装置において、板状錘は、この板状錘の下端部に床面に着床する円弧状の着床部を有する、ものである。
【００２２】
そして、板状錘は棒状錘を中心に開閉回動されるが、このとき、板状錘の円弧状の着床部が床面に沿ってスムーズに開閉移動される。
【００２３】
請求項５記載のスクリーン装置は、請求項１乃至３のいずれかに記載のスクリーン装置において、シート体は、中空筒状部の上方に位置してシート体の両面部に設けられ被遮蔽部の床面に着床時に板状錘を介して互いに反対方向に向かって拡開して着床するシート片をそれぞれ有する、ものである。
【００２４】
そして、被遮蔽部の床面に着床時に両面部のシート片が板状錘を介して互いに反対方向に向かって拡開して着床することにより、この両面部のシート片にて両面部の板状錘及び中空閉塞体がそれぞれ両面側から被覆され、かつ、板状錘の各環状突部を挿入した中空筒状部の両面部の各挿入孔がそれぞれ両面側から被覆される。したがって、シート体の下端部と被遮蔽部の床面との間が更に確実に気密に閉塞される。
【００２５】
【発明の実施の形態】
以下、本発明の一実施の形態を図面を参照して説明する。
【００２６】
１は被遮蔽部２の相対する両側壁部にそれぞれ相対して垂直状に固定された上下方向の左右のガイドレールで、この左右のガイドレール１は互いに対向して上下方向の挿入口３を開口して断面略コ字形状に形成されている。前記挿入口３は、図示しないが前記ガイドレール１の内側板部にそれぞれ形成され、その開口縁部に相対して形成された上下方向の案内片をそれぞれ有している。前記被遮蔽部２とは建物、たとえば、工場等の出入口、非常口及び通路等の開口部及び防火・防炎上の防火区画として遮蔽する必要がある箇所の開口部を意味している。
【００２７】
また、前記被遮蔽部２の天井壁部４に前記左右のガイドレール１の上端部がそれぞれ挿入固定され、この天井壁部４には前記左右のガイドレール１の挿入口３及び前記被遮蔽部２の下面に連通して開口した後述するシート体及び着床体が上下動する上下方向の案内通路５が形成されている。また、前記案内通路５の上方に位置して前記天井壁部４にボックス６が固定され、このボックス６は下端部に前記案内通路５に連通して開口した左右方向の開口部７を有している。
【００２８】
また、前記ボックス６内には左右方向の巻取ドラム８を有する巻取軸９が回転自在に軸架され、この巻取軸９の一端部にはこの巻取軸９を駆動回転する回転輪１０が固着されている。また、前記ボックス６内に正逆転可能なモータ１１が固定され、このモータ１１の出力軸１２に前記回転輪１０に対向する位置に駆動輪１３が固着され、この駆動輪１３と前記回転輪１０との間には無端回行体１４が回行自在に懸架されている。前記前記モータ１１は後述する着床体が前記被遮蔽部２の床面１５に着床する着床位置に合わせて設定された所定の回転数の回転で自動的に停止されるようになっている。
【００２９】
つぎに、１６は前記被遮蔽部２を遮蔽する昇降自在のシート体としての不燃性シート体で、この不燃性シート体１６は、前記巻取ドラム８に上端部が固着されて巻き戻し自在に巻き付けられ、幅方向の両側端部に前記左右のガイドレール１の挿入口３に昇降自在に挿入した挿入部１７をそれぞれ有するとともに、この不燃性シート体１６の下端部に中空筒状部１８を有して構成されている。
【００３０】
また、前記中空筒状部１８は、前記不燃性シート体１６の下端部に沿って両側端部を開口した挿通孔１９を有し、この中空筒状部１８は、両面部（前記被遮蔽部２の正面視前後方向）に所定の間隔をおいて対向して略矩形状の複数の挿入孔２０をそれぞれ有して形成されている。そして、前記中空筒状部１８は、前記不燃性シート体１６の挿入部１７の両縁部に両端部を有して形成されている。
【００３１】
つぎに、２１は前記不燃性シート体１６の下端部に設けられ前記被遮蔽部２の床面１５に着床する着床体としての不燃性着床体で、この不燃性着床体２１は、前記不燃性シート体１６の下端部の前記中空筒状部１８に沿って下方に向かって突設され前記被遮蔽部２の床面１５に着床時に偏平状に変形して着床し前記不燃性シート体１６の下端部と前記床面１５との間を閉塞する中空閉塞体２２と、前記不燃性シート体１６の下端部に沿って形成された前記中空筒状部１８の挿通孔１９に挿通される棒状錘２３と、前記中空閉塞体２２の両面部に位置して前記棒状錘２３にそれぞれ回動自在に設けられ前記被遮蔽部２の床面１５に着床時に前記棒状錘２３を中心に互いに広がる反対方向に向かって開回動して着床する前後一対の板状錘２４と、を有して構成されている。
【００３２】
前記中空閉塞体２２は、前記被遮蔽部２の床面１５に向かう下降時は前記中空筒状部１８の下端部から下方に向かって垂れ下がり前後方向から二つ折りに折り曲げられて下方に向かって突出した偏平状に変形可能で、前記被遮蔽部２の床面１５に着床時は上下方向から二つ折りに折り曲げられて前記床面１５に沿うように偏平状に変形可能な形態に形成されている。しかして、前記中空閉塞体２２は、両側端部に開口した袋状体２５にて形成され、この袋状体２５の両側端部は前記左右のガイドレール１の挿入口３内に昇降自在に挿入する挿入部２６として形成されている。
【００３３】
前記棒状錘２３は、前記中空筒状部１８と略同長の長さを有する金属製の丸棒２７にて形成されている。
【００３４】
前記一対の板状錘２４は、前記左右のガイドレール１の挿入口３内に挿入せずにこの挿入口３の開口面に対向して近接する両端部２８を有して横長矩形状に形成され、この一対の板状錘２４の上端部に前記中空筒状部１８の両面部の各挿入孔２０から前記挿通孔１９内に突出して前記棒状錘２３を挿通する通孔２９を形成した複数の環状突部３０をそれぞれ有し、この一対の板状錘２４の下端部に前記床面１５に着床する床面１５側に突出した円弧状の着床部３１をそれぞれ有して形成されている。そして、前記一対の板状錘２４は、ステンレス等の意匠性が高く見栄えのよい金属板３２にてそれぞれ形成されている。
【００３５】
そして、前記不燃性シート体１６に前記中空筒状部１８を形成する位置をこの不燃性シート体１６の下端部として、この不燃性シート体１６の下端部に前記中空筒状部１８が形成され、この不燃性シート体１６の下端部の中空筒状部１８の下端部に沿って前記中空閉塞体２２が形成されている。
【００３６】
しかして、前記中空筒状部１８及び前記中空閉塞体２２は、前記不燃性シート体１６を上方に向かって折り返すとともに、この折返しシート部３３の上端部３４及びこの上端部３４の下方に位置して前記中空筒状部１８を形成する部分を残して不燃性シート体１６に重合し、かつ、この上下の重合部を不燃性縫着糸等にて縫着する等の手段によりそれぞれ固定してそれぞれ両端部を開口して形成されている。前記不燃性シート体１６は、たとえば、ガラスクロス、シリカクロス等からなる不燃性生地にて形成されている。
【００３７】
そして、不燃性シート体１６の下端部の中空筒状部１８の各挿入孔２０に両面部の一対の板状錘２４の各環状突部３０をそれぞれ挿入し、この一対の板状錘２４の各環状突部３０をそれぞれ中空筒状部１８内に突出し、この中空筒状部１８内及び中空筒状部１８内に突出された各環状突部３０の通孔２９内に棒状錘２３を挿通することにより、不燃性シート体１６の下端部の両面部に一対の板状錘２４がそれぞれ簡単に取り付けられ、かつ、この一対の板状錘２４が棒状錘２３を中心に開閉回動自在に取り付けられている。
【００３８】
つぎに、前記実施の形態の作用を説明する。
【００３９】
非火災時等の通常時は不燃性シート体１６が巻き上げられて上昇され、この不燃性シート体１６の下端部の不燃性着床体２１が左右のガイドレール１の上端部で天井壁部４の案内通路５内に収納状態に位置されている。
【００４０】
このとき、不燃性着床体２１の両面部の板状錘２４は自重により棒状錘２３を中心に閉回動して中空閉塞体２２を前後方向から押圧して下方に向かって突出した偏平状に変形した状態に挟持して案内通路５内に位置されている。
【００４１】
そして、偏平状に変形されて挟持された状態の中空閉塞体２２の下端部は両面部の板状錘２４の下端部より上方に位置し、かつ、この両面部の板状錘２４は下端部に互いに反対方向に向かって彎曲した着床部３１を有することにより、この両面部の板状錘２４にて中空閉塞体２２の下端部が見え難いとともに、この両面部の板状錘２４の下端部の着床部３１にて天井壁部４の案内通路５の下面を閉塞する状態でこの着床部３１が案内通路５の下面に位置されている。
【００４２】
したがって、非火災時等の通常時は案内通路５内に不燃性着床体２１が収納された状態では全体的には中空閉塞体２２の下端部が見え難いとともに、案内通路５の下面を閉塞する状態となり見栄えがよく、この両面部の板状錘２４をステンレスなどの意匠性の高い材料にて形成することにより、更に見栄えがよくなり、案内通路５の下面が開口している見苦しさが防止され、人の通路等として外観性が保たれている。
【００４３】
つぎに、被遮蔽部２を遮蔽する際、たとえば、被遮蔽部２を遮蔽する火災時に火災信号によりモータ１１が作動されると、このモータ１１からの出力により巻取軸９が不燃性シート体１６を巻き戻す方向に駆動回転され、この巻取軸９の巻取ドラム８から不燃性シート体１６が順次巻き戻され、この不燃性シート体１６の下端部の不燃性着床体２１が天井壁部４の案内通路５から下降される。
【００４４】
そして、この不燃性シート体１６は、この不燃性シート体１６の両挿入部１７及び不燃性着床体２１の棒状錘２３を有する中空筒状部１８の両端部並びに中空閉塞体２２の両端部の両挿入部２６がそれぞれ左右のガイドレール１の挿入口３に案内されて下降され、かつ、この不燃性シート体１６の下端部に設けた不燃性着床体２１の棒状錘２３及び両面部の板状錘２４の重量によりスムーズにかつ迅速に下降される。
【００４５】
このとき、不燃性着床体２１は天井壁部４の案内通路５に収納された状態のまま、すなわち、不燃性着床体２１は中空閉塞体２２の両面部の板状錘２４が自重により棒状錘２３を中心に閉回動して両面から中空閉塞体２２を挟持して吊り下げられた状態で下降される。
【００４６】
また、不燃性シート体１６の下降によりこの不燃性着床体２１の中空閉塞体２２及び一対の板状錘２４が被遮蔽部２の床面１５に着床してこの不燃性着床体２１が所定の位置まで下降されるとともに、モータ１１が設定された所定の回転数を回転して停止する。
【００４７】
すなわち、不燃性シート体１６の下降で不燃性着床体２１の両面部の板状錘２４の下端部及び中空閉塞体２２の下端部が床面１５に着床され、さらに、この不燃性シート体１６が下降されることにより、この不燃性着床体２１の棒状錘２３の重量により中空閉塞体２２及び両面部の板状錘２４が上方から押圧される。
【００４８】
そして、中空閉塞体２２が互いに反対方向に向かって突出して床面１５との接触面を大きくして上下に二つ折りに折り曲げられて偏平状に変形された状態で着床され、すなわち、中空閉塞体２２が床面１５に板状に変形して着床した着床板部２２ａ  と、この着床板部２２ａ  の上部に板状に変形して折り重なった重合板部２２ｂ  との二つ折りに折り曲げられて偏平状に変形された状態で着床されるとともに、両面部の板状錘２４が棒状錘２３を中心に床面１５に着床したまま床面１５に沿って互いに広がる反対方向に向かって大きく開回動されるとともに、モータ１１が設定された所定の回転数を回転して停止する。
【００４９】
このとき、両面部の板状錘２４はこの板状錘２４の下端部に床面１５に着床する円弧状の着床部３１を有することにより、この両面部の板状錘２４は円弧状の着床部３１にて床面１５に沿ってそれぞれ互いに広がる反対方向に向かってスムーズに開回動される。そして、この両面部の板状錘２４は円弧状の着床部３１を床面１５に着床したまま二つ折りに折り曲げられた中空閉塞体２２の上部の重合板部２２ｂ  上に重なる状態に大きく開回動される。
【００５０】
したがって、偏平状に変形されて床面１５に着床した中空閉塞体２２にて不燃性シート体１６の下端部と床面１５との間が確実に気密に閉塞され、この中空閉塞体２２の両面部に位置して互いに反対方向に向かって大きく拡開回動されて床面１５に着床された両面部の板状錘２１にて不燃性シート体１６の下端部と床面１５との間が更に確実に気密に閉塞される。
【００５１】
そして、偏平状に変形されて着床した中空閉塞体２２及び互いに反対方向に向かって大きく拡開回動されて着床した両面部の板状錘２４は、棒状錘２３の重量により上方からそれぞれ押圧されることにより、不燃性シート体１６の下端部と床面１５との間に熱風等の風が流出入する隙間が生じることを防止される。そうして、この不燃性シート体１６及び不燃性着床体２１にて被遮蔽部２の一方側から他方側に向かって熱風等の風が流出入することが防止され、熱風等の煙りの拡散と延焼が防止される。
【００５２】
つぎに、不燃性シート体１６及び不燃性着床体２１にて被遮蔽部２を気密に遮蔽した状態で、不燃性シート体１６が熱風等の風により煽られた圧力により押圧方向に向かって撓もうとしたり、不燃性シート体１６が熱風等により熱収縮するときは、不燃性着床体２１の棒状錘２３及び両面部の板状錘２４の重量により不燃性シート体１６が簡単には引き上げられないが、その熱風等の圧力により不燃性シート体１６が押圧方向に向かって撓んで引き上げられたり、不燃性シート体１６が熱風等により熱収縮して引き上げられた場合は、その不燃性シート体１６の引上げ量に応じて不燃性シート体１６の下端部にて棒状錘２３が引き上げられるとともに、この棒状錘２３にて中空閉塞体２２及び両面部の板状錘２４がそれぞれ引き上げられる。
【００５３】
このとき、中空閉塞体２２は床面１５との接触面を大きくして上下に二つ折りに折り曲げられて偏平状に変形された状態で着床されていることにより、すなわち、中空閉塞体２２が床面１５に板状に変形して着床した着床板部２２ａ  と、この着床板部２２ａ  の上部に板状に変形して折り重なった重合板部２２ｂ  との二つ折りに折り曲げられて偏平状に変形された状態で着床されていることにより、この中空閉塞体２２が偏平状に変形された状態から二つ折りの上部に位置する重合板部２２ｂ  が着床板部２２ａ  から引き上げられて不燃性シート体１６の引上げ量に対応する。
【００５４】
すなわち、床面１５に着床板部２２ａ  が着床したままの状態でこの着床板部２２ａ  から重合板部２２ｂ  が引き上げられて不燃性シート体１６の引上げ量が吸収され、この中空閉塞体２２の二つ折りの下部に位置して床面１５に着床した着床板部２２ａ  が引き上げられることを防止され、この中空閉塞体の二つ折りの下部に位置して床面１５に着床した着床板部２２ａ  が引き続き床面１５に着床され続ける。
【００５５】
また、両面部の板状錘２４は互いに反対方向に向かって大きく拡開回動されていることにより、この両面部の板状錘２４が大きく拡開回動された状態から引き上げられながら棒状錘２３を中心に中空閉塞体２２を介して床面１５に着床したまま床面１５に沿って互いに接近する方向に向かって閉回動されて不燃性シート体１６の引上げ量に対応し、この両面部の板状錘２４が引き続き床面１５に着床され続ける。
【００５６】
このとき、両面部の板状錘２４はこの板状錘２４の下端部に床面１５に着床する円弧状の着床部３１を有することにより、この両面部の板状錘２４は棒状錘２３を中心に円弧状の着床部３１にて床面１５に沿ってそれぞれ互いに接近する方向に向かってスムーズに閉回動される。
【００５７】
したがって、不燃性シート体１６が熱風等により煽られた圧力により押圧方向に向かって撓んで引き上げられたり、不燃性シート体１６が熱風等により熱収縮して引き上げられることがあっても、その不燃性シート体１６の引上げ量に中空閉塞体２２及び両面部の板状錘２４がそれぞれ床面１５に着床したまま対応し、この中空閉塞体２２及び両面部の板状錘２４にて不燃性シート体１６の下端部と床面１５との間に隙間が生じることを防止してこれらの間を気密に閉塞した閉塞状態が引き続き確実に保持される。
【００５８】
つぎに、図８及び図９に示す実施の形態は、前記実施の形態において、不燃性シート体１６は中空筒状部１８の上方に位置して不燃性シート体１６の両面部に被遮蔽部２の床面１５に着床時に両面部の板状錘２４を介して互いに反対方向に向かって拡開して着床するシート片としての不燃性シート片３５をそれぞれ設けたものである。
【００５９】
前記両面部の不燃性シート片３５は、前記不燃性シート体１６に沿って横長矩形状にそれぞれ形成され、その上端部が前記不燃性シート体１６の両面部の取り付け位置に不燃性縫着糸等にてそれぞれ一体に固定され、その下端部を前記被遮蔽部２の床面１５に着床する着床部３６としてそれぞれ形成されている。
【００６０】
そして、前記両面部の不燃性シート片３５の着床部３６は、天井壁部４の案内通路５内に収容時は両面部の板状錘２４の円弧状の着床部３１の互いに反対方向に向かって突出した突出端部３７にて僅かに拡開した状態に支持され、かつ、この両面部の不燃性シート片３５の着床部３６にて両面部の板状錘２４の突出端部３７と案内通路５との間が更に閉塞されて案内通路５の下面の見栄えが更によくなり、被遮蔽部２の床面１５に着床時は突出端部３７に案内されて床面１５に沿って互いに反対方向に向かって拡開移動されるようになっている。
【００６１】
前記両面部の不燃性シート片３５は前記不燃性シート体１６と同じ不燃性材料にて形成されている。その他の構成は前記実施の形態の場合と同様であるから前記実施の形態と同一構成については前記実施の形態に用いた符号を記入してそれらの説明を省略する。
【００６２】
このように構成することにより、被遮蔽部２の遮蔽時は中空閉塞体２２及び両面部の板状錘２４は前記実施の形態の場合と同様に作動して被遮蔽部２の床面１５に着床されるが、このとき、両面部の不燃性シート片３５の着床部３６が両面部の板状錘２４の突出端部３７に案内されて被遮蔽部２の床面１５に着床されるとともに、この両面部の板状錘２４が両面部の板状錘２４を介して互いに広がる反対方向に向かって拡開移動される。
【００６３】
そして、この両面部の不燃性シート片３５にて大きく拡開回動して着床された両面部の板状錘２４及び偏平状に変形した着床した中空閉塞体２２がそれぞれ両面側から被覆され、かつ、両面部の板状錘２４の各環状突部３０を挿入した中空筒状部１８の両面部の各挿入孔２０がそれぞれ両面側から被覆される。したがって、不燃性シート体１６の下端部と被遮蔽部２の床面１５との間が更に確実に気密に閉塞される。
【００６４】
前記各実施の形態では、不燃性シート体１６及び不燃性着床体２１を用いた耐火スクリーン装置並びに、不燃性シート体１６、不燃性着床体２１及び不燃性シート片３５を用いた耐火スクリーン装置について説明したが、これに限らず、建物、たとえば、工場等の出入口を遮蔽して工場内への風及び塵埃等の侵入を防止する仕切用スクリーン装置、または建物内の温度を保持する仕切用スクリーン装置として用いてもよい。この場合は、シート体１６、着床体２１、及びシート片３５は、特に不燃性である必要がない。
【００６５】
また、前記各実施の形態では、被遮蔽部２は不燃性シート体１６にて遮蔽する場合について説明をしたが、これに限らず、被遮蔽部２は、たとえば、短冊板状の複数のスラット材または短冊板状の複数のパネル材をそれぞれ並設して一連に構成された不燃性のシャッターカーテンと、このシャッターカーテンの下端部に連設された不燃性シート体１６とにより全体としてシート状に一連に構成された不燃性のシート体にて遮蔽するようにしてもよい。このときも、前記各実施の形態の場合と同様に不燃性シート体１６の下端部に被遮蔽部２の床面１５に着床する不燃性着床体２１を設ける。
【００６６】
この場合も、不燃性シート体１６、不燃性のシャッターカーテン及び不燃性シート片３５は、たとえば、工場等の出入口を遮蔽して工場等への風及び塵埃等の侵入を防止する仕切用スクリーン装置、または建物内の温度を保持する仕切用スクリーン装置として用いてもよく、この際、シート体１６、シャッターカーテン及びシート片３５は、特に不燃性である必要がない。
【００６７】
このように、被遮蔽部２を遮蔽する部材は建物内の所定の位置を防火区画として遮蔽し火災時に煙りの拡散と延焼を防止する目的の場合は、シート体１６、シャッターカーテン及びシート片は不燃性材料にて形成し、また、工場等の出入口を遮蔽して工場等への風及び塵埃等の侵入を防止及び建物内の温度を保持するように出入口を気密に仕切を目的の場合は、シート体１６、シャッターカーテン及びシート片は特に不燃性材料にて形成することなく気密性の高い材料にて形成するとよい。
【００６８】
【発明の効果】
請求項１の発明によれば、着床体は、シート体の下端部に沿って下方に向かって突設され被遮蔽部の床面に着床時に偏平状に変形して着床し前記シート体の下端部と前記床面との間を閉塞する中空閉塞体と、前記シート体の下端部に沿って設けられた棒状錘と、前記中空閉塞体の両面部に位置して前記棒状錘にそれぞれ回動自在に設けられ前記被遮蔽部の床面に着床時に前記棒状錘を中心に互いに広がる反対方向に向かって開回動して着床する板状錘とを有するので、シート体にて被遮蔽部を遮蔽した状態でこのシート体が熱風等の風によって煽られその圧力によって押圧されても、着床体にてシート体の下端部と床面との間に熱風等の風が流出入する隙間が生じることを防止してこれらの間を気密に閉塞した閉塞状態を確実に保持でき、したがって、被遮蔽部の遮蔽時に十分に気密性を保持できる。
【００６９】
請求項２の発明によれば、請求項１の発明の効果に加え、シート体の下端部の中空筒状部の各挿入孔に板状錘の各環状突部をそれぞれ挿入し、この板状錘の各環状突部をそれぞれ中空筒状部内に突出し、この中空筒状部内及び中空筒状部内に突出された各環状突部内に棒状錘を挿通することにより、シート体の下端部の両面部に板状錘をそれぞれ回動自在に簡単に取り付けることができ、シート体に対する板状錘の組み付け操作が容易であり、棒状錘を板状錘の回動中心軸に兼用したので、部品点数が少なく構成も簡単である。
【００７０】
請求項３の発明によれば、請求項１または２の発明の効果に加え、中空閉塞体及び中空筒状部はシート体を折り返してそれぞれ形成したので、中空閉塞体及び中空筒状部はシート体の下端部に一体に中空閉塞体及び中空筒状部としてそれぞれ簡単に形成でき、この中空筒状部内に挿入した棒状錘を十分に保護できる。
【００７１】
請求項４の発明によれば、請求項１または２の発明の効果に加え、板状錘は棒状錘を中心に開閉回動できるが、このとき、板状錘は下端部にこの円弧状の着床部を有するので、この着床部が床面に沿ってスムーズに移動することにより板状錘を円滑に開閉移動できる。
【００７２】
請求項５の発明によれば、請求項１乃至３のいずれかの発明の効果に加え、被遮蔽部の床面に着床時に両面部のシート片が板状錘を介して互いに反対方向に向かって拡開して着床し、この両面部のシート片にて両面部の板状錘及び中空閉塞体をそれぞれ両面側から被覆でき、かつ、板状錘の各環状突部を挿入した中空筒状部の両面部の各挿入孔をそれぞれ両面側から被覆でき、したがって、シート体の下端部と被遮蔽部の床面との間を更に確実に気密に閉塞できる。
【図面の簡単な説明】
【図１】本発明の実施の形態を示すスクリーン装置の一部の斜視図である。
【図２】同上スクリーン装置の正面図である。
【図３】同上側面図である。
【図４】同上天井壁部内に着床体を収容した状態の断面図である。
【図５】同上床面上に降下した状態を示す着床体の断面図である。
【図６】同上シート体の下端部と床面との間を閉塞した状態を示す着床体の断面図である。
【図７】同上シート体が煽られる等により多少引き上げられた状態を示す着床体の断面図である。
【図８】他の実施の形態を示すシート体の下端部と床面との間を閉塞した状態を示す着床体の断面図である。
【図９】同上同上天井壁部内に着床体を収容した状態の断面図である。
【図１０】先行技術を示す耐火スクリーン装置の一部の正面図である。
【図１１】同上側面図である。
【符号の説明】
１    ガイドレール
２    被遮蔽部
３    挿入口
１５    床面
１６    シート体
１８    中空筒状部
２０    挿入孔
２１    着床体
２２    中空閉塞体
２３    棒状錘
２４    板状錘
３０    環状突部
３１    着床部
３５    シート片
【図１】
0003589862.tif 000002
【図２】
0003589862.tif 000003
【図３】
0003589862.tif 000004
【図４】
0003589862.tif 000005
【図５】
0003589862.tif 000006
【図６】
0003589862.tif 000007
【図７】
0003589862.tif 000008
【図８】
0003589862.tif 000009
【図９】
0003589862.tif 000010
【図１０】
0003589862.tif 000011
【図１１】
0003589862.tif 000012